(57)【要約】【課題】可及的な短尺化を可能にしたヘアドライヤを提供する。【解決手段】ハウジング１の一端は吸気口１１になっており、他端は排気口１２になっている。吸気口１１には、網板状の吸気口カバー４が着脱可能に取り付けられており、吸気口カバー４の内面には、イオン発生ユニット（機能ユニット）５が装着されている。イオン発生ユニット５は、ハウジング１の長手方向に沿った方向の長さが最短になる向きに配置されている。ハウジング１の長手方向にイオン発生ユニット５が占める長さが最短になり、ヘアドライヤの短尺化が可能になる。また、イオン発生ユニット５を脱させるための構造が不必要となり、ヘアドライヤの複雑化が防止される。また、イオン発生ユニット５は軸流ファン（送風機）３の回転軸の延長線上に配置されており、イオン発生ユニット５に遮断される風量は最小限になる。【選択図】図３
2014046091.tif 000002
【特許請求の範囲】
【請求項１】
一端を吸気口とした筒状のハウジングと、該ハウジング内に配置されており、前記ハウジングの長手方向に送風する送風機と、通気孔を有しており、前記吸気口に設けられた吸気口カバーとを備えるヘアドライヤにおいて、
特定の機能を有する機能ユニットを備え、
該機能ユニットは、前記長手方向に沿った長さが最短になる向きで、前記吸気口カバーの前記ハウジング側の内面に装着されてあること
を特徴とするヘアドライヤ。
【請求項２】
前記吸気口カバーは、前記ハウジングに対して着脱可能又は開閉可能であること
を特徴とする請求項１に記載のヘアドライヤ。
【請求項３】
前記送風機は、軸流ファンであり、
前記機能ユニットは、前記送風機の回転軸の延長線上に配置されていること
を特徴とする請求項１又は２に記載のヘアドライヤ。
【請求項４】
前記機能ユニットは、空気中に帯電粒子を発生させる機能を有していること
を特徴とする請求項１から３までの何れか一つに記載のヘアドライヤ。
【請求項５】
前記機能ユニットは、直方体状に形成されており、最も広い面を前記吸気口カバーの内面に対向させて装着されてあること
を特徴とする請求項１から４までの何れか一つに記載のヘアドライヤ。
【発明の詳細な説明】
【技術分野】
【０００１】
本発明は、空気イオンを発生させるイオン発生ユニット等の機能ユニットを備えたヘアドライヤに関する。
【背景技術】
【０００２】
ヘアドライヤは、円筒状のハウジングの内部に送風機及びヒータを備え、ハウジングの内部を風路として、一端の吸気口から吸入した空気を加温して他端の排気口から排出することにより、温風を放出する。使用者は、ヘアドライヤからの温風を毛髪に当てることにより、毛髪を乾燥させることができる。従来、単に毛髪を乾燥させる機能以外の機能を付加したヘアドライヤが利用されている。例えば、Ｈ+ （Ｈ2 Ｏ）m 及びＯ2-（Ｈ2 Ｏ）n 等の空気イオンを含んだ風を毛髪に当てることにより、毛髪の除電及び肌の保湿が促進されることが知られている。特許文献１には、空気中にイオンを発生させるためのイオン発生ユニットを備えたヘアドライヤが開示されている。
【先行技術文献】
【特許文献】
【０００３】
【特許文献１】特許第３４０２３２３号公報
【発明の概要】
【発明が解決しようとする課題】
【０００４】
ヘアドライヤには、小型化又は利便性の向上のために短尺化の要望がある。イオン発生ユニットを備えたヘアドライヤでは、空気にイオンを混入させることができる位置にイオン発生ユニットを配置する必要があるので、イオン発生ユニットの大きさの分だけ長手方向に長くなる。このため、短尺化が難しいという問題がある。
【０００５】
本発明は、斯かる事情に鑑みてなされたものであって、その目的とするところは、イオン発生ユニット等の機能ユニットの配置を改善することにより、可及的な短尺化を可能にしたヘアドライヤを提供することにある。
【課題を解決するための手段】
【０００６】
本発明に係るヘアドライヤは、一端を吸気口とした筒状のハウジングと、該ハウジング内に配置されており、前記ハウジングの長手方向に送風する送風機と、通気孔を有しており、前記吸気口に設けられた吸気口カバーとを備えるヘアドライヤにおいて、特定の機能を有する機能ユニットを備え、該機能ユニットは、前記長手方向に沿った長さが最短になる向きで、前記吸気口カバーの前記ハウジング側の内面に装着されてあることを特徴とする。
【０００７】
本発明においては、筒状のハウジング内に送風機を備えたドライヤは、吸気口に設けてある吸気口カバーの内面に、特定の機能を有する機能ユニットを装着してある。機能ユニットは、ハウジングの長手方向に沿った方向の長さが最短になる向きに配置されている。このため、ハウジングの長手方向に機能ユニットが占める長さは最短になる。
【０００８】
本発明に係るヘアドライヤは、前記吸気口カバーは、前記ハウジングに対して着脱可能又は開閉可能であることを特徴とする。
【０００９】
本発明においては、吸気口カバーは、着脱可能又は開閉可能である。吸気口カバーの取り外し又は開放により、機能ユニットの清掃又は交換が容易に行われる。
【００１０】
本発明に係るヘアドライヤは、前記送風機は、軸流ファンであり、前記機能ユニットは、前記送風機の回転軸の延長線上に配置されていることを特徴とする。
【００１１】
本発明においては、送風機は軸流ファンであり、機能ユニットは送風機の回転軸の延長線上に配置されている。送風機の回転軸の延長線上の風量は小さいので、機能ユニットが遮る風量は最小限になる。
【００１２】
本発明に係るヘアドライヤは、前記機能ユニットは、空気中に帯電粒子を発生させる機能を有していることを特徴とする。
【００１３】
本発明においては、機能ユニットは、空気イオンを発生させるユニットである。このため、ヘアドライヤは、空気イオンを含んだ風を排出することができる。
【００１４】
本発明に係るヘアドライヤは、前記機能ユニットは、直方体状に形成されており、最も広い面を前記吸気口カバーの内面に対向させて装着されてあることを特徴とする。
【００１５】
本発明においては、機能ユニットは、直方体状であり、最も広い面を吸気口カバーの裏面に対向させることにより、ハウジングの長手方向に機能ユニットが占める長さが最短になる。
【発明の効果】
【００１６】
本発明にあっては、ハウジングの長手方向に機能ユニットが占める長さが短いので、ハウジングを可及的に短尺化して、ヘアドライヤの小型化を図ることが可能となる等、優れた効果を奏する。
【図面の簡単な説明】
【００１７】
【図１】本実施の形態に係るヘアドライヤの外観を示す斜視図である。
【図２】ヘアドライヤの側面図である。
【図３】へアドライヤの内部構造図である。
【図４】ハウジングから取り外した吸気口カバーの側面図である。
【図５】吸気口カバーの背面図である。
【図６】吸気口カバーの正面図である。
【発明を実施するための形態】
【００１８】
以下本発明をその実施の形態を示す図面に基づき具体的に説明する。
図１は、本実施の形態に係るヘアドライヤの外観を示す斜視図であり、図２は、ヘアドライヤの側面図である。ヘアドライヤは、円筒状のハウジング１にグリップ２を取り付けた構成になっている。ハウジング１の一端は吸気口１１になっており、他端は排気口１２になっている。グリップ２には、使用者がヘアドライヤを動作させるために操作するスイッチ２１が設けられている。また、グリップ２には、図示しない電源コードが連結されており、ヘアドライヤは電源コードを介して外部から電力を供給される。
【００１９】
図３は、へアドライヤの内部構造図である。図３には、ハウジング１の内部の側断面を示している。ハウジング１の内部には、ハウジング１の長手方向に送風する軸流ファン（送風機）３が配置されている。軸流ファン３が動作することによって、外部の空気が吸気口１１から吸入され、ハウジング１内を長手方向に空気が流れ、排気口１２から風が排出される。軸流ファン３と排気口１２との間には、図示しないヒータが配置されている。ヒータはハウジング１内の空気を加温し、排気口１２から排気される風を温風にする。
【００２０】
吸気口１１には、吸気口カバー４が取り付けられている。吸気口カバー４は、網板状に形成されており、吸気口１１を塞ぐように取り付けられている。吸気口カバー４は、網板状に形成されることによって多数の通気孔を有しており、空気を通過させる一方で、異物がハウジング１内に進入することを防止する。また、吸気口カバー４は、ハウジング１に対して着脱可能になっている。
【００２１】
図４は、ハウジング１から取り外した吸気口カバー４の側面図である。また、図５は吸気口カバー４の背面図であり、図６は吸気口カバー４の正面図である。ここでは、ハウジング１の排気口１２側を正面側とし、吸気口１１側を背面側としている。ヘアドライヤは、空気中に空気イオンを発生させるイオン発生ユニット（機能ユニット）５を備えている。イオン発生ユニット５は、吸気口カバー４の内面に装着されている。吸気口カバー４の内面は、ハウジング１の内部に面した面であり、吸気口カバー４の正面側の面である。イオン発生ユニット５は、針状の放電電極と、放電電極の周囲を囲む円環状の誘導電極とを備えている。放電電極と誘電電極との間に電圧が印加されてコロナ放電が発生し、コロナ放電によって放電電極の周囲に空気イオンが発生する。イオン発生ユニット５は、Ｈ+ （Ｈ2 Ｏ）m 等の正の空気イオンとＯ2-（Ｈ2 Ｏ）n 等の負の空気イオンとの両方を発生させるために、放電電極及び誘電電極の組を二組有している。イオン発生ユニット５は、吸気口カバー４を通過して吸気口１１から吸入された空気中に、正及び負の空気イオンを発生させる。
【００２２】
図３に示すように、吸気口カバー４の内面には、配線基板４１が設けられている。配線基板４１は、吸気口カバー４の面に平行になっている。イオン発生ユニット５は、配線基板４１の正面側の面に装着されている。配線基板４１には、接続端子４２が接続されている。また、ハウジング１内には、接続コネクタ１３が設けられている。吸気口カバー４がハウジング１に取り付けられている状態では、接続端子４２は接続コネクタ１３に接続されている。ヘアドライヤの本体から、接続コネクタ１３及び接続端子４２を介して配線基板４１へ電力が供給され、配線基板４１からイオン発生ユニット５へ電力が供給され、イオン発生ユニット５が動作する。イオン発生ユニット５は、吸気口カバー４に一体に装着されており、吸気口カバー４と一体に取り外される。吸気口カバー４が取り外された状態では、接続端子４２は接続コネクタ１３から取り外され、イオン発生ユニット５は動作できない。また、ヘアドライヤは、吸気口カバー４が取り外された状態ではヘアドライヤが動作しないようにするためのインターロックスイッチを備えている。
【００２３】
イオン発生ユニット５は、全体として略直方体状に形成されており、イオン発生ユニット５の最長の方向の長さは吸気口１１の直径よりも短くなっている。イオン発生ユニット５は、直方体の面の内、最大の面積を有する面を吸気口カバー４の内面に対向させて配置されている。このような配置により、イオン発生ユニット５の最長の方向は吸気口カバー４の内面に沿った方向となり、イオン発生ユニット５の最短の方向はハウジング１の長手方向に沿った方向となる。吸気口カバー４を通過した空気は、イオン発生ユニット５の側方を通過して流れる。イオン発生ユニット５は、放電電極を側面部分に設けてある。このため、空気はイオン発生ユニット５の放電電極の付近を流れ、イオン発生ユニット５が発生させた空気イオンは、空気に流されている。このように、イオン発生ユニット５は、吸気された空気中に空気イオンを発生させ、ハウジング１内には、空気イオンを含んだ風が流れ、空気イオンを含んだ風が排気口１２から排出される。ヘアドライヤが排出した風は使用者の毛髪に当たり、風に含まれる空気イオンによって、毛髪の除電及び肌の保湿が促進される効果が得られる。
【００２４】
イオン発生ユニット５は、最短の方向をハウジング１の長手方向に沿った方向にして配置されているので、ハウジング１の長手方向にイオン発生ユニット５が占める長さは最短になる。このため、ハウジング１を可及的に短尺化して、ヘアドライヤの小型化を図ることが可能となる。ヘアドライヤが小型化することによって、従来よりも細かい取り回しが可能になり、ヘアドライヤの利便性が向上する。
【００２５】
また、イオン発生ユニット５は、吸気口カバー４の内面の内、軸流ファン３の回転軸の延長線上に配置されている。軸流ファン３が発生させる風は、回転軸回りに回転する回転翼によって発生するので、回転軸の延長線上では風量が小さく、ハウジング１の内面に近い部分ではより風量が大きくなる。イオン発生ユニット５は、吸気口カバー４の一部を塞いでしまうので、軸流ファン３が発生させる風の一部を遮断しており、イオン発生ユニット５が無い場合に比べて、ヘアドライヤが発生させる風量は低下する。しかしながら、イオン発生ユニット５が遮断する風は、軸流ファン３の回転軸の延長線上を流れる風量の小さい風であり、ハウジング１の内面に近い部分を流れるより風量の大きい風は遮断されない。このため、イオン発生ユニット５の存在によって低下する風量は最小限度に抑えられる。従って、風量の低下を最小限に抑えながらも、ヘアドライヤの小型化が可能になる。
【００２６】
ヘアドライヤでは、吸気口１１から進入した異物の除去、又はハウジング１の内部若しくは吸気口カバー４の清掃のため、吸気口カバー４を着脱可能にすることが望ましい。イオン発生ユニット５は、吸気口カバー４と一体になってハウジング１から取り外され、容易に清掃又は交換が可能になっている。このため、イオン発生ユニット５をハウジング１に着脱させるための特別な構造が不必要になっている。従って、イオン発生ユニット５の清掃又は交換を可能としながらも、ヘアドライヤの複雑化を避けることが可能となる。なお、ヘアドライヤは、吸気口カバー４がハウジング１に対して開閉可能になっている形態であってもよい。この形態でも、ハウジング１の内部若しくは吸気口カバー４の清掃、又はイオン発生ユニット５の清掃若しくは交換が可能となる。
【００２７】
なお、本実施の形態においては、イオン発生ユニット５が略直方体状である形態を示したが、イオン発生ユニット５の形状は直方体とは全く異なった形状であってもよい。どのような形状であっても、イオン発生ユニット５は、吸気口カバー４に対するあらゆる向きの内でハウジング１の長手方向に沿った長さが最短になる向きにして、吸気口カバー４の内面に装着されていればよい。また、本実施の形態においては、機能ユニットがイオン発生ユニット５である形態を示したが、ヘアドライヤは、その他の機能ユニットを備えた形態であってもよい。例えば、機能ユニットは、帯電水等の空気イオン以外の帯電粒子を発生させる機能を有するユニット、又は空気を加湿する機能を有するユニットであってもよい。また、例えば、機能ユニットは、電源ユニット、電池ユニット、芳香ユニット、消臭ユニット又は抗菌ユニットであってもよい。
【符号の説明】
【００２８】
１  ハウジング
１１  吸気口
２  グリップ
３  軸流ファン（送風機）
４  吸気口カバー
５  イオン発生ユニット（機能ユニット）
【図１】
2014046091.tif 000003
【図２】
2014046091.tif 000004
【図３】
2014046091.tif 000005
【図４】
2014046091.tif 000006
【図５】
2014046091.tif 000007
【図６】
2014046091.tif 000008